(57)【要約】      （修正有） 【課題】設置側の経済的な設置運用に資することができる冷却水素水サーバ装置と冷蔵庫との組合せを提供する。【解決手段】水道水を導入し、この水道水を冷却するとともに水素水として生成して貯留することができる水素水供給タンク１と、水道水を冷却して貯留する冷却水貯蔵タンク１２からの冷却水を供給することができる冷蔵庫１３とを有するとともに、水道水に代えてこの水素水供給タンク１に冷蔵庫１３からの冷却水を導入することができる冷却水素水サーバ装置２との組合せであって、水道水の供給先を切換えることができる切換弁４を有する。通常の利用状態が想定される場合には、冷却水素水サーバ装置２を単体で設置し、また集中的な利用が想定される場合には、単にその設置台数を増加することなく、冷却水素水サーバ装置２の不足する機能分を補って、集中的に需要が増加した冷却水素水を供給できるようにする。【選択図】図２
0003200895.tif 000002
【実用新案登録請求の範囲】
【請求項１】
水道水を導入し、この水道水を冷却するとともに水素水として生成して貯留し、要求によって冷却された水素水を供給する水素水タンクを有するとともに、この冷却される水道水に代えて前記水素水タンクに他の冷却水を導入することができる冷却水素水サーバ装置と、
水道水を冷却して貯留するタンクを有するとともにこのタンクからの冷却水を前記冷却水素水サーバ装置の水素水タンクに供給することができる冷蔵庫と、からなる冷却水素水サーバ装置と冷蔵庫との組合せ。
【請求項２】
前記冷却水素水サーバ装置と前記冷蔵庫との間を水道管に切換え接続可能な切換弁で接続するとともに、それぞれのタンク間をポンプを介して接続し、各タンクに設けられた水位検知器によってそれぞれのタンク水位を制御する請求項１記載の冷却水素水サーバ装置と冷蔵庫との組合せ。
【請求項３】
水道水を導入し、この水道水を冷却するとともに水素水として生成して貯留し、要求によって冷却された水素水を供給する水素水タンクを有するとともに、この冷却される水道水に代えて前記水素水タンクに他の冷却水を導入することができ、この水素水タンクの水位が所定値に低下したことを検知して、前記冷蔵庫のタンクから冷却水を所定量水素水タンクに供給することができる冷却水素水サーバ装置を有する請求項１、または２記載の冷却水素水サーバ装置と冷蔵庫との組合せ。
【考案の詳細な説明】
【技術分野】
【０００１】
この考案は、冷却水素水サーバ装置と冷蔵庫との組合せに関する。
【背景技術】
【０００２】
水素水は、人体における活性酸素の還元作用に注目して健康飲料として広く利用されており、それを自動販売する冷却水素水サーバ装置が普及している。この冷却水素水サーバ装置は、内蔵する比較的小型の冷却装置によって水道からの水を冷却するとともに、この冷却水に水素発生装置からの水素を混入して冷却された水素水を提供するように構成され、業務用として広くスポーツジム等に設置されている（特許文献１）。
しかしながら、飲料用サーバ装置として一般的なタンク容量は１０〜２０リットル程度であるため、スポーツジム等における通常時には、例えば、利用者が５００ミリリットルの特定の断熱容器を用いて、自動販売機としての冷却水素水サーバ装置から、通常の頻度で供給口から水素水の提供を安定的に受けることができるものである。
このような状況において、冷却水素水サーバ装置の水素水タンクの水位が一定量低下すると、水素水タンク内の水位検知器のボールタップによってこれを検知し、冷却された冷却水、したがって水素水が水素水タンク内に補充されるように構成されているから、冷却された水素水の供給容量としては実際上問題ない。
しかしながら、スポーツジム等でスポーツプログラム開始時および終了後には、利用者が一斉に冷却水素水サーバ装置に殺到することがあり、この場合には、水素水の提供の頻度が集中的に上昇してタンクの水位が高頻度で低下するため、補給された水素水が充分に冷却されない状態でタンク内に貯留されることになる。そのために、利用者に対して、所定温度に冷却された水素水を供給することができず、生ぬるい状態の水素水を供給する結果を招来することとなり、利用者に不快感を与えることになっていた。
【０００３】
そのために、設置者側としては、タンク容量を大型化することを希望したり、設置台数を増やして対応することを検討するが、前者については標準装備とすることが困難であり、後者については冷却水素水サーバのような比較的高価な装置の増設は、必ずしも経済的でなく、また平常時には容量過剰となってしまうため、適切な解決策が見当たらなかった。
【０００４】
なお、水道直結式の冷温水機・給茶機用飲料水供給装置（特許文献２）は、その供給する一定の飲料水とは別に、小スペースを利用して、さらなる飲料水を提供できるように、ポンプを介して別容器の飲料水を送り込む工夫をしたものであるが、単に飲料水の種類を増やすためのものであって、本件考案のような集中的な需要が生じた場合に、本来の目的である冷却された水素水を経済的に提供するというような要求には応じることができないものである。
【先行技術文献】
【特許文献】
【０００５】
【特許文献１】特開２０１４−０５０７７４号公報
【特許文献１】実開平５−２６０２０号公報
【考案の概要】
【考案が解決しようとする課題】
【０００６】
この考案においては、従来の標準的容量のタンクを有する冷却水素水サーバ装置において、タンク内に飲用に最適でないような、充分に冷却されていない水素水が貯留されることがないようにしたものである。
【課題を解決するための手段】
【０００７】
すなわち、冷却水素水サーバ装置に対して、これとは別個に設置した冷却水貯蔵タンクを有して冷却水を供給することができる冷蔵庫を接続して、この貯蔵タンクからの冷却水の供給により、所定温度以下の冷却水を、水道管からの供給に代えて冷却水素水サーバのタンクに供給するようにすることによって、当該冷却水素水サーバの能力を増大し、利用者の需要に応じた所定量の冷却水素水を供給することができるようにして、一時的な供給集中が発生した場合にも対処できるようにしたものである。
【考案の効果】
【０００８】
したがって、通常の利用状態が想定される場合には、冷却水素水サーバ装置を単体で設置し水道水に直結することによって、冷却水素水サーバ装置としての機能を発揮できるものであり、一方、一時的に利用者による集中的な利用が想定される場合には、単にその設置台数を増加するというのではなく、冷却水素水サーバ装置の不足する機能分を補って、すなわち、集中的に需要が増加した冷却水素水を供給できるようにするための、冷却水素水サーバ装置と冷却水を貯蔵できる冷蔵庫との巧みな組合せの考案であって、冷却水素水サーバ装置の能力を増大して、設置者側の経済的な設置運用に資することができるものである。
【図面の簡単な説明】
【０００９】
【図１】図１は、この考案の一実施例における外形を示す概略図である。
【図２】図２は、この考案の一実施例における配管および配線を示す概略図である。
【考案を実施するための形態】
【００１０】
［実施例］  
図１、２において、１は、いわゆる自動販売機としての冷却水素水サーバ装置２の上部に配置された水素水供給タンクであって、この水素水供給タンク１の底部には、水道管３がこれと直結した切換弁４を介して接続される。さらに、この水素水供給タンク１の底部には水素発生器Ｈ２が接続され、水素発生器Ｈ２から発生した水素を水素水供給タンク１内の水に混入して、水素水供給タンク１内に水素水を生成するようになっている。この水素水供給タンク１は、その外周を図示しない冷却器によって包囲され、冷却水素水サーバ装置２内のコンプレッサ５によって、水素水供給タンク1内の水素水を飲用に適する４〜１０°Cに冷却して貯蔵する。
また、水素水供給タンク１の底部には給水管６が設けられ、冷却水素水サーバ装置２の正面中央に位置する供給口７に配置された注水口８にコック９を介して接続されている。
水素水供給タンク１内には、例えばフロート式の水位検知器１０が配置されて、水素水供給タンク１内に水道圧により水道水とともに水素が混入された所定量の水素水が供給されると、これを検知して水道水からの水供給が停止される。
利用者が、自動販売機としての冷却水素水サーバ装置２に対面して、その正面に設けられたコイン開口Cにコインを投入し、供給口７から水素水を所望の容器Bにコック９を開いて購入すると、水素水供給タンク１内から所定量の冷却された水素水が供給され、水素水供給タンク１の水位が低減する。これが所定回数実行されて水素水供給タンク1内の水素水が所定水位に低減すると、水位検知器１０の検知によって、再度水道水からの給水を受けて、水素水供給タンク１内に常に一定量の冷却された水素水が貯留されるように制御されるように構成される。
また、１３は、冷却水貯蔵タンク１２を内蔵した汎用の冷蔵庫であって、例えば通常の汎用の冷蔵庫１３の庫内に冷却水貯蔵タンク１２を設置したものであり、冷却水素水サーバ装置２と組合せて使用され、設置時はそのそばに隣接して配置される。この冷蔵庫１３には、切換弁４を介して、水道管３が冷蔵庫１３内の冷却水貯蔵タンク１２に直結され、この冷却水貯蔵タンク１２は、同じく冷蔵庫１３内に設置されたコンプレッサ１４によって冷却され、冷却水が生成されて貯蔵される。
この冷蔵庫１３の冷却水貯蔵タンク１２内には、例えばフロート式の水位検知器１５が配置されて、後述する利用によって冷却水貯蔵タンク１２内の貯蔵冷却水が所定量に減少すると、その水位検知器１５によって冷却水貯蔵タンク１２内に水道管から水道水を供給し、冷却水を所定量貯蔵しておくように構成されるものである。
そして、この冷却水貯蔵タンク１２からは、ポンプＰを経由して冷却水供給管１６が導出されて、必要に応じて、冷却水素水サーバ装置２の水素水供給タンク１に冷却水供給管１６を介してその冷却水を供給できるように構成される。
すなわち、冷却水素水サーバ装置２の水素水供給タンク１には、水道管３からの給水に代えて、供給接続口１７を通して冷蔵庫１３の冷却水貯蔵タンク１２からの冷却水供給管１６が接続されて所定温度に冷却された冷却水が供給されるように構成される。
すなわち、冷却水素水サーバ装置２および冷蔵庫１３の間には、水道管３に直結された切換弁４が接続され、この切換弁４は、その水道管３を必要に応じて冷却水素水サーバ装置２の水素水供給タンク１、または冷蔵庫１３の冷却水貯蔵タンク１２に切換え接続できるように手動で切換えることができるように構成される。
次いで、冷却水素水サーバ装置と冷蔵庫との組合せ使用、すなわち、設置運用について説明する。
一般の利用者が想定される場所において、冷却水素水サーバ装置２が単体で設置される場合には、切換弁４を介して水道管３を水素水供給タンク１に直結して、通常の需要量に対応した冷却水素水サーバ装置２の水素水供給タンク１に所定量の水素水が貯蔵されるように運転される。
すなわち、通常は、利用者が冷却水素水サーバ装置２に対面して、個別の容器Bを供給口７に配置して注水口８から水素水を所望量購入すると、要求によって冷却された水素水が水素水供給タンク１内から所定量供給され、水素水供給タンク１の水位が低減する。これが所定回数実行されて水素水供給タンク1内の水素水が所定水位に低減すると、水位検知器１０の検知によって再度水道水からの給水を受け、水素水供給タンク１内に常に一定量の水素水が貯留されるように制御される。
一方、冷却水素水サーバ装置２をスポーツジム等に設置して、この冷却水素水サーバ装置２に対する集中的な、高頻度の利用状態が発生する可能性が予想される場合には、予め、前記冷却水供給用の冷蔵庫１３を準備して、冷却水素水サーバ装置２に隣接して設置する。この冷蔵庫１３に切換弁４を介して水道管３を接続して、冷却水貯蔵タンク１２に水道水を供給するように構成するとともに、この冷蔵庫１３の冷却水供給管１６を水道圧同等のポンプＰを介して前記冷却水素水サーバ装置２の水素水供給タンク１に供給接続口１７を介して接続するように構成し、電源を投入して配置する。
そして、冷却水素水サーバ装置２は、水素水供給タンク１内に水素発生器Ｈ２からの水素を混入した４〜１０°Cに冷却された水素水が貯蔵されて利用に備える。
一方、冷蔵庫１３は、その冷却水貯蔵タンク１２内に同様に４〜１０°Cに冷却された一定量、例えば、２０リットルの冷却水が用意されている。
まず、通常の利用頻度の状態においては、水素水供給タンク１内の水位が一定量低下すると、水位検知器１０がそれを検知してポンプP経由で冷蔵庫１３の冷却水貯蔵タンク１２内の冷却水が水素水供給タンク１に供給されて水素水供給タンク１内に水素水の追加的貯蔵を実行する。水素水供給タンク１内の水素水は、継続的に所定温度に冷却されて次の供給に備える。
前述したように、スポーツジム等の利用者において、予定のスポーツプログラムが終了した場合等に、前述したように集中して水素水の利用状態が連続的に繰り返されることになるが、このような場合であっても、水素水供給タンク1の低下した水位が水位検知器１０によって検知されると、今度はポンプP経由で冷蔵庫１３の冷却水貯蔵タンク１２内の冷却水が冷却水供給管１６を介して水素水供給タンク１に供給されて連続的に一定量の冷却した水素水が確保され、利用者による集中的な需要に応えることができ、常に所望の冷却状態の水素水を提供することができるのである。
【００１１】
なお、この考案の冷却水素水サーバ装置と冷却水供給可能な冷蔵庫との組合せは、すでに冷却水素水サーバ装置が単体で設置されている場合であっても、その利用頻度の集中的な増加が発生したり、予想されたりした場合には、単に冷却水素水サーバ装置２の増設をすることなく、冷却水供給可能な冷蔵庫１３を用意し、冷却水素水サーバ装置２における水道管直結に代えて、この冷却水供給可能な冷蔵庫１３に水道管３を直結するとともに、ポンプＰを介して冷蔵庫１３からの冷却水供給管１６を冷却水素水サーバ装置２の水素水供給タンク１に接続することによって、安価に、実質的に増設の効果を有することができるものである。
【００１２】
もちろん、設置当初から、ときどきに集中的利用が想定される場合には、初めから、冷却水素水サーバ装置と冷却水供給可能な冷蔵庫との組合せで設置し、万一、その後に、冷却水素水サーバ装置本体単独での設置、ないし運転が必要となった場合には、切換弁を切換えるとともに、冷却水素水サーバ装置を水道直結にすることによって冷却水素水サーバ装置２の単体設置を実現できるものである。
【符号の説明】
【００１３】
１…水素水供給タンク、  ２…冷却水素水サーバ装置、  ３…水道管、  Ｈ２…水素発生器、  ４…切換弁、  ５…コンプレッサ、  ６…給水管、  ７…供給口、  ８…注水口、  ９…コック、  １０…水位検知器、                                １２…冷却水貯蔵タンク、  １３…冷蔵庫、  １４…コンプレッサ、  １５…水位検知器、  １６：冷水供給管、  １７：供給接続口、  B…容器
【図１】
0003200895.tif 000003
【図２】
0003200895.tif 000004